(57)【要約】【課題】引違窓の内障子及び外障子にソフトクローズ機構を取り付ける作業における施工性の向上を図ることができる。【解決手段】四方を枠組みして構成される枠体２と、枠体２内で左右方向Ｘ２にスライド可能に配置される外障子３及び内障子４と、を備え、枠体２の上枠２１における外障子３を走行させる上枠外レール２１１と、内障子４を走行させる上枠内レール２１２との間には、外障子３及び内障子４のそれぞれを閉方向に所定速度で全閉位置に引き寄せるソフトクローズ機構６の外側ダンパー６０１Ａ、内側ダンパー６０２Ａが配置された構成の建具を提供する。【選択図】図２
2019178558.tif 000002
【特許請求の範囲】
【請求項１】
四方を枠組みして構成される枠体と、前記枠体内で左右方向にスライド可能に配置される外障子及び内障子と、を備えた建具であって、
前記枠体の上枠における前記外障子を走行させる第１上レールと、前記内障子を走行させる第２上レールとの間には、前記外障子及び前記内障子のそれぞれを閉方向に所定速度で全閉位置に引き寄せるソフトクローズ機構のソフトクローズ本体が配置されていることを特徴とする建具。
【請求項２】
前記ソフトクローズ機構は、前記外障子を作動させる第１ソフトクローズ本体と、前記内障子を作動させる第２ソフトクローズ本体と、が一体的に設けられている請求項１に記載の建具。
【請求項３】
前記外障子の屋内側に設けられた第１気密材によって前記外障子の屋内外を気密に封止するとともに、全閉状態の前記外障子と前記内障子のそれぞれの召合框同士の間に設けられた第２気密材によって前記召合框の屋内外を気密に封止する気密ラインが設けられ、
前記ソフトクローズ機構は、前記気密ラインよりも屋内側に配置されている請求項１または２に記載の建具。
【発明の詳細な説明】
【技術分野】
【０００１】
本発明は、建具に関する。
【背景技術】
【０００２】
従来、サッシとして、例えば特許文献１に示されるような、障子の開方向の速度が高速になったときに作動するダンパーを有するスライダーを障子の上框に備え、障子の開方向に付勢したソフトクローズ機構を備えたものが知られている。このようなサッシでは、障子を所定速度よりも速い速度で閉じた場合に、ダンパーによって障子の速度を適切に調整することができる。
【先行技術文献】
【特許文献】
【０００３】
【特許文献１】特開２０１６−１７３０１９号公報
【発明の概要】
【発明が解決しようとする課題】
【０００４】
しかしながら、内障子及び外障子を有する引違窓の場合には、内障子及び外障子のそれぞれにソフトクローズ機構を設ける必要があるため、ソフトクローズ機構を取り付ける際の施工もそれぞれの障子毎に行う必要があり、その点で改善の余地があった。
【０００５】
本発明は、上述する問題点に鑑みてなされたもので、引違窓の内障子及び外障子にソフトクローズ機構を取り付ける作業における施工性の向上を図ることができる建具を提供することを目的とする。
【課題を解決するための手段】
【０００６】
上記目的を達成するため、本発明に係る建具は、四方を枠組みして構成される枠体と、前記枠体内で左右方向にスライド可能に配置される外障子及び内障子と、を備えた建具であって、前記枠体の上枠における前記外障子を走行させる第１上レールと、前記内障子を走行させる第２上レールとの間には、前記外障子及び前記内障子のそれぞれを閉方向に所定速度で全閉位置に引き寄せるソフトクローズ機構のソフトクローズ本体が配置されていることを特徴としている。
【０００７】
本発明によれば、ソフトクローズ機構によって外障子及び内障子のそれぞれを個別に作動させて所定速度で閉じることができる。また、外障子を作動させる第１ソフトクローズ本体と、内障子を作動させる第２ソフトクローズ本体と、が共に第１上レールと第２上レールとの間に設けられているので、ソフトクローズ機構を取り付ける際の施工がし易く、施工性の向上を図ることができる。
【０００８】
また、本発明に係る建具は、前記ソフトクローズ機構が、前記外障子を作動させる第１ソフトクローズ本体と、前記内障子を作動させる第２ソフトクローズ本体と、が一体的に設けられていることを特徴としてもよい。
【０００９】
本発明によれば、１つのソフトクローズ機構によって外障子及び内障子のそれぞれを個別に作動させて所定速度で閉じることができる。また、外障子を作動させる第１ソフトクローズ本体と、内障子を作動させる第２ソフトクローズ本体と、が一体的に設けられているので、ソフトクローズ機構を取り付ける際の施工もそれぞれの障子毎に行う必要がないため、施工性の向上を図ることができる。
また、本発明によれば、ソフトクローズ機構を一体化したことにより、このソフトクローズ機構の小型化も可能となるので、ソフトクローズ機構の取り付けスペースを小さく抑えることができ、建具を小型化できる。
【００１０】
さらに、本発明に係る建具は、前記外障子の屋内側に設けられた第１気密材によって前記外障子の屋内外を気密に封止するとともに、全閉状態の前記外障子と前記内障子のそれぞれの召合框同士の間に設けられた第２気密材によって前記召合框の屋内外を気密に封止する気密ラインが設けられ、前記ソフトクローズ機構は、前記気密ラインよりも屋内側に配置されていることを特徴としてもよい。
【００１１】
この場合には、外障子と内障子によって形成される気密ラインの屋内側にソフトクローズ機構が配置されているので、水の付着に弱いソフトクローズ機構を屋外の雨水や湿気から保護することができ、故障の発生を抑制することができる。
【発明の効果】
【００１２】
本発明の建具によれば、引違窓の内障子及び外障子にソフトクローズ機構を取り付ける作業における施工性の向上を図ることができる。
【図面の簡単な説明】
【００１３】
【図１】本発明の実施形態による引違窓の水平断面図であって、外障子及び内障子を全閉状態にした図である。
【図２】図１に示すＩ−Ｉ線断面図であって、全閉状態の引違窓の縦断面図である。
【図３】ソフトクローズ機構を屋内側から見た縦断面図である。
【図４】上枠に設けられるソフトクローズ機構のダンパーを下方から見た平面図である。
【図５】（ａ）〜（ｄ）は、ソフトクローズ機構を使用した障子の開閉動作を示す図である。
【発明を実施するための形態】
【００１４】
以下、本発明の一実施形態による建具の一例について、図面に基づいて説明する。
【００１５】
図１及び図２に示す本実施形態による引違窓１（建具）は、建築物の開口部に設けられ、四方を枠組みして四角形枠状に構成された枠体２と、枠体２内で左右方向Ｘ２にスライド可能に設けられた障子３、４と、を備えている。引違窓１は、アルミニウムと樹脂の複合のサッシである。
ここで、障子３、４のうち、符号３は外障子であり、符号４は内障子である。
【００１６】
以下の説明において、屋外側と屋内側とを結ぶ方向を屋内外方向Ｘ１とし、建築物の開口部が躯体を貫通する方向から見た際の左側と右側を結ぶ水平方向を左右方向Ｘ２とする。また、引違窓１を構成する各部材や部品などは、前記開口部に設けられている姿勢であるものとして、その姿勢における屋内外方向Ｘ１および左右方向Ｘ２を用いて説明する。左右方向Ｘ２において、障子３、４をそれぞれ閉じる方向を閉方向といい、開く方向を開方向という。
【００１７】
枠体２は、全体が矩形状に形成され、建築物の屋外側に配置される外付け用となっている。枠体２は、左右方向Ｘ２に延在する上枠２１及び下枠２２と、上枠２１の両端部と下枠２２の両端部とをそれぞれ連結し上下方向Ｘ３に延在する縦枠２３、２４と、を有している。
開口部は、上枠２１、下枠２２、一方の第１縦枠２３、及び他方の第２縦枠２４によって四辺を囲って構成されている。
【００１８】
図１に示すように、一対の縦枠２３、２４は、それぞれアルミ合金等の金属製である。一対の縦枠２３、２４のうち、外障子３の戸先框３３に対向する側を第１縦枠２３とし、内障子４の戸先框４３に対向する側を第２縦枠２４として、以下説明する。
【００１９】
第１縦枠２３は、屋外側に配置され外障子３の戸先框３３を開閉自在に係止する屋外側枠部２３Ａと、屋外側枠部２３Ａの屋内側に配置され全開状態の内障子４の召合框４４を近接させた位置で停止させる屋内側枠部２３Ｂと、を有している。
屋外側枠部２３Ａには、第２縦枠２４側に向けて突出する第１フランジ２３１が上下方向Ｘ３の全体にわたって延びて設けられている。
【００２０】
第２縦枠２４は、屋外側に配置され全開状態の外障子３の召合框３４を近接させた位置で停止させる屋外側枠部２４Ａと、屋外側枠部２４Ａの屋内側に配置され内障子４の戸先框４３を開閉自在に係止する屋内側枠部２４Ｂと、を有している。
屋内側枠部２４Ｂには、第１縦枠２３側に向けて突出する第２フランジ２４１が上下方向Ｘ３の全体にわたって延びて設けられている。
【００２１】
上枠２１は、図２に示すように、屋外側に配置され外障子３の上框３１を左右方向Ｘ２に走行自在に支持する上枠外レール２１１（第１上レール）を有する屋外側上枠部２１Ａと、屋外側上枠部２１Ａの屋内側に配置され内障子４の上框４１を左右方向Ｘ２に走行自在に支持する上枠内レール２１２（第２上レール）を有する屋内側上枠部２１Ｂと、を備えている。
【００２２】
上枠２１には、上枠外レール２１１と上枠内レール２１２との間の位置に、後述するソフトクローズ機構６のダンパー６Ａを収納されるとともに左右方向Ｘ２に延びる上枠凹部２５が設けられている。上枠凹部２５は少なくともダンパー６Ａ（外側ダンパー６０１Ａ、及び内側ダンパー６０２Ａ）が配置される領域に設けられている。すなわち、本実施形態では、後述するように上枠２１において外障子３と内障子４とが全閉状態のときの召合せ部分の上側にダンパー６Ａが配置されるので、上枠凹部２５は上枠２１の左右方向Ｘ２の中央部分には少なくとも設けられている。
【００２３】
下枠２２は、図２に示すように、屋外側に配置され外障子３の下框３２を左右方向Ｘ２に走行自在に支持する下枠外レール２２１を有する屋外側下枠部２２Ａと、屋外側下枠部２２Ａの屋内側に配置され内障子４の下框４２を左右方向Ｘ２に走行自在に支持する下枠内レール２２２を有する屋内側下枠部２２Ｂと、を備えている。
下枠外レール２２１には、外障子３の下框３２に設けられる戸車３６が屋内外方向Ｘ１への移動が規制された状態で左右方向Ｘ２に走行可能に載置されている。下枠内レール２２２には、内障子４の下框４２に設けられる戸車４６が屋内外方向Ｘ１への移動が規制された状態で左右方向Ｘ２に走行可能に載置されている。
【００２４】
図１及び図２に示すように、外障子３は、左右方向Ｘ２に延在する上框３１および下框３２と、上下方向Ｘ３に延在する戸先框３３と召合框３４と、これらの框３１〜３４の内側で押縁により押さえられて支持されるガラス３５と、を有している。
【００２５】
戸先框３３は、図１に示すように、板面が屋外側を向く外板部３３１が設けられ、外板部３３１の第１縦枠２３側（閉方向側）の端部には屋内側に突出した状態で上下方向Ｘ３に延在する第１気密パッキン３３２が設けられている。第１気密パッキン３３２は、ゴム製の弾性部材から形成され、全閉状態Ｐ１の外障子３において、第１縦枠２３の第１フランジ２３１の屋外面に対して気密に接触している。
【００２６】
召合框３４には、第２縦枠２４側（開方向側）の端部に屋内側に突出した状態で上下方向Ｘ３に延在する第２気密パッキン３４１が設けられている。第２気密パッキン３４１は、ゴム製の弾性部材から形成され、全閉状態Ｐ１の外障子３において、内障子４の召合框４４の屋外側の外板部４４１に対して気密に接触している。
【００２７】
上框３１は、図２に示すように、上枠２１の上枠外レール２１１に沿って左右方向Ｘ２に案内される走行溝３１１が形成されている。上框３１の上端板３１２の屋内側には、上枠２１の上枠凹部２５に収納されるダンパー６Ａ（外側ダンパー６０１Ａ）に対して着脱可能に係止されるラッチ６Ｂ（外側ラッチ６０１Ｂ）が設けられている。
走行溝３１１の屋外側上端部には屋内側に突出した状態で左右方向Ｘ２に延在する第３気密パッキン３１３が設けられている。第３気密パッキン３１３は、ゴム製の弾性部材から形成され、上枠外レール２１１の屋外面に対して気密に接触している。
【００２８】
下框３２は、図２に示すように、下枠２２の下枠外レール２２１に沿って左右方向Ｘ２に案内される戸車３６を収納する走行溝３２１が形成されている。
走行溝３２１の屋外側下端部には屋内側に突出した状態で左右方向Ｘ２に延在する第４気密パッキン３２３が設けられている。第４気密パッキン３２３は、ゴム製の弾性部材から形成され、下枠外レール２２１の屋外面に対して気密に接触している。
【００２９】
図１及び図２に示すように、内障子４は、左右方向Ｘ２に延在する上框４１および下框４２と、上下方向Ｘ３に延在する戸先框４３と召合框４４と、これらの框４１〜４４の内側で押縁により押さえられて支持されるガラス４５と、を有している。
【００３０】
戸先框４３は、図１に示すように、板面が屋外側を向く外板部４３１が設けられ、外板部４３１の第２縦枠２４側（閉方向側）の端部には屋内側に突出した状態で上下方向Ｘ３に延在する第５気密パッキン４３２が設けられている。第５気密パッキン４３２は、ゴム製の弾性部材から形成され、全閉状態Ｐ１の内障子４において、第２縦枠２４の第２フランジ２４１の屋外面に対して気密に接触している。
【００３１】
召合框４４には、図２に示すように、上端板４４１の屋外側には、上枠２１の上枠凹部２５に収納されるダンパー６Ａ（内側ダンパー６０２Ａ）に対して着脱可能に係止されるラッチ６Ｂ（内側ラッチ６０２Ｂ）が設けられている。
【００３２】
上框４１は、図２に示すように、上枠２１の上枠内レール２１２に沿って左右方向Ｘ２に案内される走行溝４１１が形成されている。
走行溝４１１の屋外側上端部には屋内側に突出した状態で左右方向Ｘ２に延在する第６気密パッキン４１２が設けられている。第６気密パッキン４１２は、ゴム製の弾性部材から形成され、上枠内レール２１２の屋外面に対して気密に接触している。
【００３３】
下框４２は、図２に示すように、下枠２２の下枠内レール２２２に沿って左右方向Ｘ２に案内される戸車３６を収納する走行溝４２１が形成されている。
走行溝４２１の屋外側下端部には屋内側に突出した状態で左右方向Ｘ２に延在する第７気密パッキン４２２が設けられている。第７気密パッキン４２２は、ゴム製の弾性部材から形成され、下枠内レール２２２の屋外面に対して気密に接触している。
【００３４】
引違窓１では、上述した各気密パッキン３３２、３４１、３１３、３２３、４３２、４１２、４２２によって外障子３と内障子４の屋内外を気密に封止する気密ラインＫ（図１に示す二点鎖線）が設けられている。
【００３５】
次に、上枠２１及び各障子３、４の上部に設けられるソフトクローズ機構６について、図面に基づいて詳細に説明する。
ソフトクローズ機構６は、図１に示すように、外障子３及び内障子４のそれぞれを個別に閉方向に所定速度で全閉位置に引き寄せる機構のものである。
ソフトクローズ機構６は、図２に示すように、上枠２１における外障子３を走行させる上枠外レール２１１と、内障子４を走行させる上枠内レール２１２との間に形成される上枠凹部２５に設けられるダンパー６Ａ（ソフトクローズ本体）と、外障子３及び内障子４のそれぞれに設けられダンパー６Ａにスライド可能に係止するラッチ６Ｂと、を備えている。
そして、ソフトクローズ機構６は、図１に示す気密ラインＫよりも屋内側に配置されている。
【００３６】
ダンパー６Ａは、外障子３を作動させる外側ダンパー６０１Ａ（第１ソフトクローズ本体）と、内障子４を作動させる内側ダンパー６０２Ａ（第２ソフトクローズ本体）と、が屋内外方向Ｘ１に並列に配置された状態で一体的に設けられている。上枠２１におけるダンパー６Ａの左右方向Ｘ２の位置は、上述したように外障子３と内障子４とが全閉状態Ｐ１のときの召合せ部分の近傍の位置とされる。
【００３７】
ラッチ６Ｂは、外障子３の上框３１に設けられる外側ラッチ６０１Ｂと、内障子４の召合框４４の上端に設けられる内側ラッチ６０２Ｂと、がばね部材（図示省略）によって上方に向けて付勢された状態で設けられている。ラッチ６Ｂにおける障子３、４から上方に突出する部分の形状は、屋内外方向Ｘ１から見た側面視で略矩形状を呈している。
【００３８】
図３及び図４に示すように、外側ダンパー６０１Ａ（内側ダンパー６０２Ａも同様）は、下方に左右方向Ｘ２に延びるスリット６０ａが形成されカバー体６０と、カバー体６０の内側に収容され第１縦枠２３側に向けて所定の閉速度で伸長するシリンダ６１と、シリンダ６１の先端部６１ａに設けられた係止片６２と、カバー体６０に形成され係止片６２を案内する案内溝６３と、を備えている。なお、内側ダンパー６０２Ａは、外側ダンパー６０１Ａとは左右方向Ｘ２の向きが反対になっているが、構成は図３及び図４に示す外側ダンパー６０１Ａと同じである。
【００３９】
カバー体６０は、上枠２１の延在方向（左右方向Ｘ２）に沿って延びる長尺の箱形状をなしており、左右方向Ｘ２に沿って延びる一対の側壁６０ｂ、６０ｂのそれぞれに上述した案内溝６３が形成されている。カバー体６０の下端６０ｃは、外障子３の上框３１の上端３１ｃから上方に離間している。
【００４０】
シリンダ６１は、伸長する方向に付勢されており、係止片６２に対して外障子３の開方向（第２縦枠２４側）に所定の力を付与することで、シリンダ６１の先端部６１ａが開方向に移動するように縮減し、その所定の力が付与されなくなると閉方向に伸長する。すなわちシリンダ６１の先端部６１ａ（係止片６２）の位置は、シリンダ６１の伸縮によって縮減した引込み開始位置Ｕ１から伸長した引込み完了位置Ｕ２との間で移動するようになっている。シリンダ６１の伸長速度は、外障子３を全閉状態Ｐ１に閉じる際の閉鎖速度に設定されている。
【００４１】
引込み開始位置Ｕ１は、外障子３が全閉状態Ｐ１のときに、外障子３のラッチ６Ｂ（外側ラッチ６０１Ｂ）が係止片６２に係止する位置に決められている。
引込み完了位置Ｕ２は、シリンダ６１の伸長により外障子３を閉方向に移動させ、係止片６２から外側ラッチ６０１Ｂを解放した後の外障子３が全閉状態Ｐ１の位置まで慣性力により移動することが可能な位置に決められている。
【００４２】
係止片６２は、シリンダ６１の先端部６１ａに対して屋内外方向Ｘ１を中心として回転可能に設けられ、カバー体６０の案内溝６３の溝方向に沿って摺動可能な一対の摺動突起６２Ａ、６２Ｂを有している。係止片６２は、摺動突起６２Ａ、６２Ｂのうち開方向側の第２摺動突起６２Ｂが後述する案内溝６３の停止凹部６３Ｂに嵌ったときに、引込み開始位置Ｕ１となり、図５（ｂ）に示すように開方向側の端部を上にして傾いた姿勢となる。そして、停止凹部６３Ｂに第２摺動突起６２Ｂが嵌合した状態では、係止片６２の移動が規制されていて、シリンダ６１の付勢力で動かないようになっている。停止凹部６３Ｂと第２摺動突起６２Ｂの嵌合は、係止片６２の係止凹部６２ａに開方向に移動する外障子３の外側ラッチ６０１Ｂが係合したときに解除される。
【００４３】
係止片６２の下端には、外側ラッチ６０１Ｂが着脱可能に係止する係止凹部６２ａが設けられている。係止凹部６２ａには、面方向を上下方向Ｘ３に向け、かつ左右方向Ｘ２に対向する係止面を有している。外障子３を開ける際には、係止凹部６２ａの開方向側の第１面６２ｂが外側ラッチ６０１Ｂの第１側面６４ａによって押されることで係止片６２を開方向側に押圧してシリンダ６１が縮減する。外障子３を閉じる際には、シリンダ６１の伸長によって閉方向に移動する係止片６２とともに係止凹部６２ａの第１面６２ｂによって外側ラッチ６０１Ｂの第１側面６４ａを押圧することで外障子３が閉方向に移動する。
係止片６２は、引込み開始位置Ｕ１で姿勢が傾くことにより、係止凹部６２ａから外障子３とともに開方向に移動する外側ラッチ６０１Ｂが外れ、あるいは閉方向に移動してきた外側ラッチ６０１Ｂを係止凹部６２ａで係止させることができる。
【００４４】
カバー体６０に形成されるスリット６０ａは、係止片６２の幅寸法よりも大きいスリット幅に設定され、係止片６２が左右方向Ｘ２に移動可能となっている。そして、係止片６２の係止凹部６２ａは、少なくともスリット６０ａの内側に位置するように設けられている。
【００４５】
カバー体６０の案内溝６３は、シリンダ６１の先端部６１ａの移動領域に配置され、左右方向Ｘ２に延びる直線部６３Ａと、直線部６３Ａの開方向側の端部から上方に凹んだ停止凹部６３Ｂと、を有している。
【００４６】
次に、障子３、４の開閉動作について、図面を用いて具体的に説明する。なお、外障子３と内障子４は開閉の向きが違うだけであって基本的に同じ開閉動作となるので、ここでは外障子３の開閉動作のみについて説明する。
外障子３は、図５（ａ）に示すように、上框３１に設けられる外側ラッチ６０１Ｂが上枠２１に設けられ引込み完了位置Ｕ２にある外側ダンパー６０１Ａの係止片６２の係止凹部６２ａに係止する。
【００４７】
図５（ｂ）に示すように、さらに外障子３を開方向に移動させると、係止凹部６２ａの開方向側の第１面６２ｂが外側ラッチ６０１Ｂの第１側面６４ａによって押されることで係止片６２を開方向側に移動させるとともにシリンダ６１を押し戻すようにして縮減させる。係止片６２が引込み開始位置Ｕ１まで移動したときに、係止片６２の開方向側の第２摺動突起６２Ｂが案内溝６３の停止凹部６３Ｂに位置し、係止片６２が開方向に向けて傾斜した姿勢となることにより、係止凹部６２ａから外障子３とともに開方向に移動する外側ラッチ６０１Ｂが外れる。
【００４８】
そして、外側ダンパー６０１Ａから外側ラッチ６０１Ｂ（図５（ｂ）の二点鎖線）が外れた状態のまま外障子３は開方向へ移動させることができる。外側ダンパー６０１Ａは、係止片６２の第２摺動突起６２Ｂが停止凹部６３Ｂに嵌った状態ではシリンダ６１の伸長が規制され、シリンダ６１が縮減された状態で保持される。
【００４９】
次に、外障子３を閉じる際には、図５（ｃ）に示すように、閉方向に移動する外障子３の外側ラッチ６０１Ｂが引込み開始位置Ｕ１に移動したときに、ソフトクローズ機構６による引き込みが開始される。すなわち、外障子３の外側ラッチ６０１Ｂが引込み開始位置Ｕ１で外側ダンパー６０１Ａの傾いた係止片６２の係止凹部６２ａに係止すると、係止片６２が外側ラッチ６０１Ｂによって閉方向に押されて、第２摺動突起６２Ｂが停止凹部６３Ｂから外れる。
【００５０】
そうすると、図５（ｄ）に示すように、シリンダ６１が伸長する方向への規制が解除され、シリンダ６１が伸長し、係止片６２の第１摺動突起６２Ａ、及び第２摺動突起６２Ｂが案内溝６３の直線部６３Ａに沿って摺動する。シリンダ６１の伸長によって閉方向に移動する係止片６２とともに係止凹部６２ａの第１面６２ｂによって外側ラッチ６０１Ｂの第１側面６４ａが押されることで外障子３が閉方向に向けて自動的に移動する。引込み完了位置Ｕ２まで引き込まれた外障子３は、外側ラッチ６０１Ｂが外側ダンパー６０１Ａから外れるとともに、慣性力によって全閉する。
【００５１】
次に、本実施形態による引違窓１の作用について説明する。
本実施形態では、図１及び図２に示すように、１つのソフトクローズ機構６によって外障子３及び内障子４のそれぞれを個別に作動させて所定速度で閉じることができる。この場合には、外障子３を作動させる外側ダンパー６０１Ａと、内障子４を作動させる内側ダンパー６０２Ａと、が一体的に設けられているので、ソフトクローズ機構６を取り付ける際の施工もそれぞれの障子３、４毎に行う必要がないため、施工性の向上を図ることができる。
【００５２】
また、本実施形態によれば、ソフトクローズ機構６においてダンパー６０１Ａ、６０２Ａを一体化したことにより、このソフトクローズ機構６の小型化も可能となるので、ソフトクローズ機構６の取り付けスペースを小さく抑えることができ、建具を小型化できる。
【００５３】
また、本実施形態の場合には、外障子３と内障子４とによって形成される気密ラインＫの屋内側にソフトクローズ機構６が配置されているので、水の付着に弱いソフトクローズ機構６を屋外の雨水や湿気から保護することができ、故障の発生を抑制することができる。
また、気密ラインＫの屋内側にソフトクローズ機構６が配置されるので、引違窓１が取付け面よりも屋外側に配置されるような半外サッシにも適用することができる。
【００５４】
このように本実施形態の引違窓１によれば、引違窓１の外障子３及び内障子４にソフトクローズ機構６を取り付ける作業における施工性の向上を図ることができる。
【００５５】
以上、本発明による建具の実施形態について説明したが、本発明は上記の実施形態に限定されるものではなく、その趣旨を逸脱しない範囲で適宜変更可能である。
【００５６】
例えば、本実施形態では、上枠２１におけるソフトクローズ機構６の配置位置として、左右方向Ｘ２の中央部分で、全閉状態Ｐ１の障子３、４の召合部分の近傍としているが、この位置に限定されることはなく、各障子３、４に対応する外側ダンパー６０１Ａと内側ダンパー６０２Ａが一体に設けられていれば他の位置であってもかまわない。
また、本実施形態では、ソフトクローズ機構６が気密ラインＫの屋内側に配置されているが、気密ラインＫより屋外側に配置される構成とすることも可能である。
【００５７】
また、ソフトクローズ機構６の具体的な構成、すなわちダンパー６Ａやラッチ６Ｂの形状、位置、機構などの構成、及び引込み開始位置Ｕ１等は、上述した実施形態に限定されることはなく、他の構成とすることも可能である。
【００５８】
さらに、本実施形態では、ソフトクローズ機構６の外側ダンパー６０１Ａと内側ダンパー６０２Ａとが一体に設けられている場合の説明をしたが、別体であってもよい。その場合、外側ダンパー６０１Ａと内側ダンパー６０２Ａとを近接した位置に設置することで、施工効率を向上させることができる。
【００５９】
その他、本発明の趣旨を逸脱しない範囲で、上記した実施形態における構成要素を周知の構成要素に置き換えることは適宜可能である。
【符号の説明】
【００６０】
１  引違窓（建具）
２  枠体
３  外障子
４  内障子
６  ソフトクローズ機構
６Ａ  ダンパー
６０１Ａ  外側ダンパー（第１ソフトクローズ本体）
６０２Ａ  内側ダンパー（第２ソフトクローズ本体）
６Ｂ  ラッチ
６０１Ｂ  外側ラッチ
６０２Ｂ  内側ラッチ
２１  上枠
２１１  上枠外レール（第１上レール）
２１２  上枠内レール（第２上レール）
２２  下枠
２３  第１縦枠
２４  第２縦枠
２５  上枠凹部
３１  上框
３２  下框
３３  戸先框
３４  召合框
６２  係止片
６３  案内溝
Ｋ  気密ライン
Ｐ１  全閉状態
Ｕ１  引込み開始位置
Ｕ２  引込み完了位置
Ｘ１  屋内外方向
Ｘ２  左右方向
Ｘ３  上下方向
【図１】
2019178558.tif 000003
【図２】
2019178558.tif 000004
【図３】
2019178558.tif 000005
【図４】
2019178558.tif 000006
【図５】
2019178558.tif 000007